(57)【要約】【課題】養生カバーによってコンクリート打設時等を含む長期間に亘ってフランジ部の表側部分を綺麗な状態に保ちつつ、養生カバーを取り外した際に表側部分にノリ残りが生じないルーフドレンや養生カバーが要望されている。【解決手段】本体部２とストレーナとが備えられ、かつ、本体部２における排水口２１の周囲に、シート状の防水材が張り掛けられるフランジ部２３が設けられたルーフドレンであって、フランジ部２３のうち防水材が張り掛けられる表側部分２３ｆを覆う養生カバー５が備えられ、養生カバー５に、フランジ部２３のうち、表側部分以外の箇所に固定される固定部５１と、表側部分２３ｆに接着されていない状態で固定部５１に連結されて表側部分２３ｆを覆い、かつ、固定部５１への連結を解除することでフランジ部２３から取り外されて表側部分２３ｆを露出させる剥離部５２と、が備えられている。【選択図】図１
2018168659.tif 000002
【特許請求の範囲】
【請求項１】
排水口が形成されると共に現場打ちのコンクリート下地に打ち込まれる本体部と、前記排水口を表側から囲う状態で前記本体部に取り付けられるストレーナと、が備えられ、かつ、前記本体部における前記排水口の周囲に、前記コンクリート下地を防水するシート状の防水材が張り掛けられるフランジ部が設けられたルーフドレンであって、
前記フランジ部のうち前記防水材が張り掛けられる表側部分を覆う養生カバーが備えられ、
前記養生カバーに、前記フランジ部のうち、前記表側部分以外の箇所に固定される固定部と、前記表側部分に接着されていない状態で前記固定部に連結されて前記表側部分を覆い、かつ、前記固定部への連結を解除することで前記フランジ部から取り外されて前記表側部分を露出させる剥離部と、が備えられているルーフドレン。
【請求項２】
前記養生カバーは、熱収縮性素材で構成され、
前記固定部は、前記フランジ部の外周縁部が差し込まれる袋状に形成され、前記剥離部の外周部に沿って設けられている請求項１に記載のルーフドレン。
【請求項３】
前記養生カバーに、前記排水口に対応する開口が形成されている請求項１または２に記載のルーフドレン。
【請求項４】
排水口が形成されると共に現場打ちのコンクリート下地に打ち込まれる本体部と、前記排水口を表側から囲う状態で前記本体部に取り付けられるストレーナと、が備えられ、かつ、前記本体部における前記排水口の周囲に、前記コンクリート下地を防水するシート状の防水材が張り掛けられるフランジ部が設けられたルーフドレンに用いられる養生カバーであって、
前記フランジ部のうち前記防水材が張り掛けられる表側部分を覆うように構成され、
前記フランジ部のうち、前記表側部分以外の箇所に固定される固定部と、前記表側部分に接着されていない状態で前記固定部に連結されて前記表側部分を覆い、かつ、前記固定部への連結を解除することで前記フランジ部から取り外されて前記表側部分を露出させる剥離部と、が備えられている養生カバー。
【請求項５】
熱収縮性素材で構成され、
前記固定部は、前記フランジ部の外周縁部が差し込まれる袋状に形成され、前記剥離部の外周部に沿って設けられている請求項４に記載の養生カバー。
【請求項６】
前記排水口に対応する開口が形成されている請求項４または５に記載の養生カバー。
【発明の詳細な説明】
【技術分野】
【０００１】
本発明は、コンクリート打込み式のルーフドレン、及び、このようなルーフドレンに用いられる養生カバーに関する。
【背景技術】
【０００２】
このようなコンクリート打込み式のルーフドレンとして、特許文献１や特許文献２に記載のものが知られている。これらの発明では、ルーフドレンに、排水口が形成されると共にコンクリート下地に打ち込まれる本体部と、排水口を表側から囲う状態で本体部に取り付けられるストレーナと、が備えられている。そして、本体部における排水口の周囲に、コンクリート下地を防水するシート状の防水材が張り掛けられるフランジ部が設けられている。防水材をフランジ部に張り掛ける手法としては、接着材が用いられたり、引用文献１に記載されているように、フランジ部を含む本体部を防水材と同じ材質のものでコーティングしておき、防水材をその被膜に加熱加圧によって溶着したりされるのが一般的である。
【０００３】
ところで、本体部はコンクリート打設前にセットしておくものであるため、そのままの状態では、コンクリート打設時にフランジ部のうちの防水材が張り掛けられる表側部分にセメントや砂利が飛散して不着してしまい、防水材の敷設時に、そのセメントカス等を除去する作業が必要となったり、不着が酷いとこれらを除去しきれず、防水材を適切に張り掛けることができなくなったりする虞がある。また、通常の施工工程では、コンクリートを打設してから防水材を敷設するまでに、ある程度の期間が空けられるため、この期間の間に、表側部分に各種の汚れが付着する虞がある。こういった問題点を解消するために、現在では、一般的に、フランジ部の表側部分の形状に合わせた養生カバーを準備し、コンクリート打設前から防水材敷設直前までの間、表側部分に養生カバーを貼り付けておき、表側部分へのセメント等の不着を防止している。
【先行技術文献】
【特許文献】
【０００４】
【特許文献１】実開昭６０‐００６０３０号公報
【特許文献２】特開平８‐２３９９６６号公報
【発明の概要】
【発明が解決しようとする課題】
【０００５】
しかし、コンクリート打設前から防水材敷設直前までの長期にわたって、表側部分に養生カバーを貼り付けておくと、養生カバーを取り外した後に、表側部分に養生カバーの接着剤が残ってしまい、このノリ残りが防水材を表側部分に張り掛ける際の接着不良の原因になることがあった。
【０００６】
このような実情に鑑み、養生カバーによってコンクリート打設時等を含む長期間に亘ってフランジ部の表側部分を綺麗な状態に保ちつつ、養生カバーを取り外した際に表側部分にノリ残りが生じないルーフドレンや養生カバーが要望されている。
【課題を解決するための手段】
【０００７】
上記課題を解決する手段として、本発明は、
排水口が形成されると共に現場打ちのコンクリート下地に打ち込まれる本体部と、前記排水口を表側から囲う状態で前記本体部に取り付けられるストレーナと、が備えられ、かつ、前記本体部における前記排水口の周囲に、前記コンクリート下地を防水するシート状の防水材が張り掛けられるフランジ部が設けられたルーフドレンであって、
前記フランジ部のうち前記防水材が張り掛けられる表側部分を覆う養生カバーが備えられ、
前記養生カバーに、前記フランジ部のうち、前記表側部分以外の箇所に固定される固定部と、前記表側部分に接着されていない状態で前記固定部に連結されて前記表側部分を覆い、かつ、前記固定部への連結を解除することで前記フランジ部から取り外されて前記表側部分を露出させる剥離部と、が備えられていることを特徴とする。
【０００８】
本発明によると、養生カバーは、固定部によって表側部分以外の箇所にしっかりと固定されているため、コンクリート打設時や打設後に養生カバーが外れることがなく、表側部分は剥離部によって長期間に亘って綺麗な状態に保たれる。そして、剥離部は表側部分に接着されていないため、表側部分にノリ残りが生じることもない。したがって、必要なタイミングで、剥離部の固定部への連結を解除すれば、セメント等の汚れやノリ残りのない綺麗な状態の剥離部が露出し、表側部分への防水材の張り掛けを好適に行うことができる。
【０００９】
このように、本発明であれば、養生カバーによってコンクリート打設時等を含む長期間に亘ってフランジ部の表側部分を綺麗な状態に保ちつつ、養生カバーを取り外した際に表側部分にノリ残りが生じないルーフドレンを提供できる。
【００１０】
本発明においては、
前記養生カバーは、熱収縮性素材で構成され、
前記固定部は、前記フランジ部の外周縁部が差し込まれる袋状に形成され、前記剥離部の外周部に沿って設けられていると好適である。
【００１１】
本構成によれば、固定部にフランジ部の外周縁部に差し込むと、外周縁部は固定部によって包み込まれる状態となる。この状態で養生カバーに熱風等を当てると、固定部が熱収縮することで、表側及び裏側から外周縁部しっかり把持すると共に、養生カバー全体が中心側に熱収縮することで、外周縁部に対する固定部の引っ掛かりが強くなる。即ち、本構成であれば、本体部に対して養生カバーのサイズを少し大き目にしておいて、養生カバーをフランジ部に組付けやすくしつつ、例えば熱風を当てる等の簡単な作業で、養生カバーをフランジ部にしっかりと固定することができる。
【００１２】
本発明においては、
前記養生カバーに、前記排水口に対応する開口が形成されていると好適である。
【００１３】
コンクリートを打設した後は、躯体が出来上がるため、もし雨が降ると、その雨は逃げ場を失うこととなり、どこかから排出しなければならない。本構成であれば、養生カバーの形状は多少複雑化するものの、雨水は、養生カバーの開口からルーフドレンの排水口に流れ出すことができ、コンクリート打設直後から、ルーフドレンを排出基点として利用することができる。
【００１４】
ところで、養生カバーは、ルーフドレンの一部として構成されるだけでなく、ルーフドレンと別物として流通しても良いため、上記課題を解決する別の手段として、本発明は、
排水口が形成されると共に現場打ちのコンクリート下地に打ち込まれる本体部と、前記排水口を表側から囲う状態で前記本体部に取り付けられるストレーナと、が備えられ、かつ、前記本体部における前記排水口の周囲に、前記コンクリート下地を防水するシート状の防水材が張り掛けられるフランジ部が設けられたルーフドレンに用いられる養生カバーであって、
前記フランジ部のうち前記防水材が張り掛けられる表側部分を覆うように構成され、
前記フランジ部のうち、前記表側部分以外の箇所に固定される固定部と、前記表側部分に接着されていない状態で前記固定部に連結されて前記表側部分を覆い、かつ、前記固定部への連結を解除することで前記フランジ部から取り外されて前記表側部分を露出させる剥離部と、が備えられていることを特徴とする。
【００１５】
本発明であれば、上述したルーフドレンの一部として構成された養生カバーと同様に、コンクリート打設時等を含む長期間に亘ってフランジ部の表側部分を綺麗な状態に保ちつつ、フランジ部から取り外した際に表側部分にノリ残りが生じない養生カバーを提供できる。
【００１６】
さらに、ルーフドレンの一部として構成された養生カバーと同様に、本発明においても、
熱収縮性素材で構成され、
前記固定部は、前記フランジ部の外周縁部が差し込まれる袋状に形成され、前記剥離部の外周部に沿って設けられていると好適であり、また、
前記排水口に対応する開口が形成されていると好適である。
【図面の簡単な説明】
【００１７】
【図１】養生カバーの表側の斜視図と、養生カバーが取り付けられた本体部の表側の斜視図である。
【図２】養生カバーが取り付けられた本体部の裏側の斜視図である。
【図３】養生カバーが取り付けられた本体部の縦断面図である。
【図４】本体部をセットした状態でコンクリートを打設した際の建物の部分縦断面図である。
【図５】表側部分に防水材を張り掛ける際の施工要領を示す建物の部分縦断面図である。
【図６】防水材及びルーフドレン施工完了時の建物の部分縦断面図である。
【図７】別実施形態としての縦引き用のルーフドレンに関する図であって、養生カバーが取り付けられた本体部の表側の斜視図である。
【図８】別実施形態としての縦引き用のルーフドレンに関する図であって、防水材及びルーフドレン施工完了時の建物の部分縦断面図である。
【発明を実施するための形態】
【００１８】
本発明に係るルーフドレンの具体的な形態を、図面を用いて説明する。
【００１９】
〔ルーフドレンの構成〕
図６に示すように、ルーフドレン１は、現場打ちの鉄筋コンクリート造の建物の屋上部（陸屋根）において、屋上スラブＳＬとパラペットＰＷとによって形成される入隅部分に形成された排水溝Ｃに設置される。本実施形態のルーフドレン１は、いわゆる横引き用のコーナードレンである。屋上スラブＳＬの上面（排水溝Ｃの底部）及びパラペットＰＷの屋上側面には、塩化ビニル等の合成樹脂製の防水シートＷＰ（本発明の『防水材』に相当）が敷設され、屋上スラブＳＬ等に固定される。防水シートＷＰの固定については、公知の絶縁工法や接着工法が用いられる。
【００２０】
ルーフドレン１には、排水口２１が形成されると共に、屋上スラブＳＬ及びパラペットＰＷ（本発明の『コンクリート下地』に相当）に打ち込まれる本体部２と、排水口２１を表側（排水溝Ｃ側）から囲う状態で本体部２に取り付けられるストレーナ４と、が備えられている。本体部２とストレーナ４との間には、防水シートＷＰの端部を押え込むシート押え部３が設けられ、本体部２にシート押え部３が固定され、シート押え部３にストレーナ４が固定される。排水溝Ｃに集水された雨水は、排水口２１から、本体部２に接続された横引き管ＨＰに流れ込み、さらに、横引き管ＨＰが接続された不図示の縦樋に流れ込んで排水される。雨水と共に排水口２１に流れ込もうとする落ち葉や屋上のゴミは、ストレーナ４に形成されたスリットに引っ掛かって濾し取られるようになっている。本体部２、シート押え部３、ストレーナ４は、用途によって、金属（鋳鉄、ステンレス等）や繊維強化プラスチック（ＦＲＰ）等によって構成されている。
【００２１】
図６に示すように、本体部２は、断面Ｌ字形状であり、打込み状態において、屋上スラブＳＬの上面とパラペットＰＷの屋上側面とに沿うようになっている。図１及び図６に示すように、本体部２の水平部分の入隅寄りの箇所は、打込み状態において排水溝Ｃの底部よりも低くなるように少し窪まされており、かつ、排水口２１は、排水口２１の下端がさらにその窪んだ部分よりも低くなるように、本体部２の鉛直部分に開口されている。このため、排水溝Ｃから流入した雨水は、円滑に排水口２１に案内される。本体部２の入隅部分に、取付ボルト２４が２本立設されている。取付ボルト２４は、打込み状態において斜め上方向を向くようになっており、取付ボルト２４にシート押え部３が斜め上方向から通され、ナットＮによって固定される。
【００２２】
図１及び図６に示すように、本体部２における排水口２１の周囲には、防水シートＷＰの端部が張り掛けられるフランジ部２３が設けられている。本実施形態では、本体部２における水平部分のうち、上述の窪められた部分を平面視でＵ字状に囲う部分の『表側部分２３ｆ』と、本体部２における鉛直部分のうち、排水口２１の左右両隣の部分及び上隣の部分の『表側部分２３ｆ』と、に防水シートＷＰの端部が張り掛けられるようになっている。即ち、上述の窪められた部分を平面視でＵ字状に囲う部分と、排水口２１の左右両隣の部分及び上隣の部分とが、フランジ部２３に相当する。また、本体部２には、排水口２１から躯体内部側に円筒形状に延びる接続部２２が備えられている。接続部２２の内周部にはネジが切られており、このネジに横引き管ＨＰがねじ込まれる。
【００２３】
本体部２は、防水シートＷＰと同素材の塩化ビニルによってコーティングされている。図３に黒い太線で示すように、コーティング層２６は、本体部２の殆どの部分に形成されているが、接続部２２の内周部にはネジがあるため、ここにはコーティング層２６は形成されていない。
【００２４】
〔養生カバーの構成〕
図１、図２、及び、図３に示すように、ルーフドレン１には、養生カバー５が備えられている。単体の養生カバー５は、図１における右上の図に示されている。養生カバー５は、全体的に断面Ｌ字形状に構成され、かつ、養生カバー５における排水口２１に対応する箇所に開口５５が形成されると共に、養生カバー５における上述の本体部２の窪み部分に対応する箇所に凹部５４が形成されている。図１の白抜き矢印で示すように養生カバー５を本体部２に取り付けると、図１における左下の図のように、養生カバー５は、本体部２の表面形状にある程度ぴったりと沿う。即ち、養生カバー５は、本体部２の表面にある程度密接する。これにより、養生カバー５は、フランジ部２３のうちの防水シートＷＰが張り掛けられる上述の『表側部分２３ｆ』をしっかりと覆う。
【００２５】
図１に示すように、養生カバー５の入隅部分には、開口５５を左右から挟むように、左右一対のボルト孔５７が形成されており、このボルト孔５７に、本体部２の取付ボルト２４２本が通される。また、図１、図２、及び、図３に示すように、開口５５から、円筒状に筒部５６が延ばされている。筒部５６は、接続部２２の内周部に沿う形状となっており、接続部２２の内周部のうち排水口２１からネジ部分近くまでの部分を覆う。
【００２６】
図１、図２、及び、図３に示すように、養生カバー５には、表側部分２３ｆを覆う剥離部５２と、フランジ部２３における外周縁部（本発明の『表側部分以外の箇所』に相当）に固定される固定部５１と、が備えられている。本実施形態において、剥離部５２と固定部５１とは、一枚のシート状部材をプレス加工することによって構成されており、剥離部５２と固定部５１との境界部分には、ミシン目５３が施されている。ミシン目５３の孔は、小さな切れ目であるため、固定部５１と剥離部５２のとの間に隙間はほとんどない。上述したように、養生カバー５が本体部２の表面形状に密接しているため、かつ、固定部５１と剥離部５２との間に隙間が殆どないため、異物がミシン目５３から侵入して養生カバー５と表側部分２３ｆとの間に入り込む可能性はかなり低い。したがって、養生カバー５によって、表側部分２３ｆを綺麗な状態に保つことができる。
【００２７】
固定部５１は、図１、図２、及び、図３に示すように、フランジ部２３の外周縁部が差し込まれる袋状に形成され、剥離部５２の外周部に沿って設けられている。ただし、固定部５１のうち表側（フランジ部２３の表側部分２３ｆ側）に位置する部分は、表側部分２３ｆをほとんど覆わない程度の幅に形成してある。固定部５１のうち裏側（フランジ部２３の裏側部分２３ｂ側）に位置する部分は、表側に位置する部分よりも大き目の幅に形成してある。また、図１（特に右上図）や図２に示すように、養生カバー５の裏側における四隅には、固定部５１の一部として、三角状の係止部５１ａが備えられている。係止部５１ａによって、固定部５１の固定機能が向上する。
【００２８】
剥離部５２の裏面と表側部分２３ｆとの間には一切接着剤が使用されておらず、剥離部５２は、固定部５１がフランジ部２３に固定されることで、フランジ部２３に固定されている。したがって、図１に示すように、剥離部５２をミシン目５３に沿って固定部５１から切り離すことで、剥離部５２と固定部５１との連結を解除し、即ち、剥離部５２を固定部５１から分離し、剥離部５２をフランジ部２３から取り外して、表側部分２３ｆを露出させることができる。
【００２９】
〔養生カバーの組付け〕
本実施形態では、固定部５１の裏面とフランジ部２３の外周縁部の表面との間にも、接着材は使用していない。養生カバー５は、例えば、熱収縮性を有する合成樹脂素材によって薄膜状に構成されており、単体では簡単に形状変更ができる程度に軟らかく、かつ、多少の弾性変形が可能である。養生カバー５を本体部２に取り付ける際には、養生カバー５を全体的に少し引き伸ばして、本体部２に覆い被せるように取り付ける。そして、養生カバー５を取り付けた本体部２に、ヒータ等による直接加熱や温風・熱風の吹付等によって養生カバー５を加熱する。この結果、養生カバー５は、熱収縮して本体部２にフィットする。詳細に説明すると、固定部５１は表裏両側からフランジ部２３の外周縁部しっかり把持し、かつ、養生カバー５全体が中心側に熱収縮することで、外周縁部に対する固定部５１の引っ掛かりが強くなる。これにより、固定部５１はフランジ部２３に固定されている。
【００３０】
〔ルーフドレンの施工要領〕
以下、図４、図５、及び、図６に基づいて、ルーフドレン１の施工要領を説明する。
１．本体部２の設置
ルーフドレン１のうち本体部２は、鉄筋工事と型枠工事とが完了した後に、ストレーナ４等に先行して設置される。ルーフドレン１が設置される排水溝Ｃ周辺では、図４に示すように、屋上スラブＳＬのスラブ筋ＳＲと、外壁部Ｗ及びパラペットＰＷの壁筋ＷＲとが配筋され、これらの周りにスラブ型枠ＳＭ及び建物外周側の壁型枠ＷＭが建て込まれている。
【００３１】
建物外周側の壁型枠ＷＭの内面には、円盤状の位置決め部材Ｄが固定されており、位置決め部材Ｄの外周縁に、パイプ状のスペーサＳＰの一端を外嵌させる。スペーサＳＰは、横引き管ＨＰ（図５、図６参照）よりも大径であり、スペーサＳＰによって、コンクリート打設後のパラペットＰＷ内に横引き管ＨＰを通すスペースが確保される。スペーサＳＰは、塩化ビニル管やボイド管等を切断したものである。スペーサＳＰの他端の内周部に本体部２の接続部２２を内嵌させ、公知の方法によって、スペーサＳＰと本体部２とを位置決め部材Ｄを介して、建物外周側の壁型枠ＷＭに固定する。本体部２の水平部分の底面には、アンカー２５が一体的に設けられており、アンカー２５をスラブ筋ＳＲに溶接することで、本体部２はさらに強固に支持される。
【００３２】
本体部２は、本体部２の鉛直部分に位置する表側部分２３ｆ（剥離部５２）が、建物内周側の壁型枠ＷＭの内面（パラペットＰＷの建物内周側面）と同一面となるように、かつ、本体部２の水平部分に位置する表側部分２３ｆ（剥離部５２）が、排水溝Ｃの底部と同一面となるように、位置決めされる。そして、建物内周側の壁型枠ＷＭが建て込まれる。
【００３３】
この状態で、コンクリート打設が行われる。コンクリート打設中も、打設後も、剥離部５２を取り外さない限り、表側部分２３ｆを綺麗に保つことできる。また、コンクリート打設によって、固定部５１は、コンクリートと本体部２の外周端部との間に巻き込まれた状態となるので、コンクリートが硬化すると、固定部５１はかなり強固に保持される。
【００３４】
２．防水シートの張り掛け
コンクリートが硬化したら、図５に示すように、型枠を解体し、接続部２２のネジに横引き管ＨＰを接続する。カバー部には開口５５が形成されているため、屋上の雨水を、排水口２１を通じて排水することができる。その後、防水シートＷＰを施工する時期が来たら、剥離部５２をミシン目５３に沿って固定部５１から切り離し、表側部分２３ｆ（コーティング層２６）を露出させる。そして、防水シートＷＰを表側部分２３ｆにまで敷設し、防水シートＷＰの端部をめくりあげた状態で、熱風溶接機ＤＲによって、防水シートＷＰの端部の裏面と表側部分２３ｆのコーティング層２６とを加熱して溶融する。そして、防水シートＷＰを表側部分２３ｆに伏せ込み、シート上から冷却パッド等によって押圧して、防水シートＷＰの端部を表側部分２３ｆに溶着する。
【００３５】
３．ストレーナ等の組付け
最後に、図６に示すように、シート押え部３を取付ボルト２４に通してナットＮで固定する。シート押え部３は、表側部分２３ｆに張り掛けられた防水シートＷＰの端部を押え込むものであり、シート押え部３と表側部分２３ｆとによって防水シートＷＰの端部が挟持され、防水シートＷＰの端部のめくれ上がりが防止される。さらに、シート押え部３の上から、排水口２１を覆うようにストレーナ４を被せ、ビスＳによってシート押え部３に固定する。以上の要領で、ルーフドレン１の設置が完了する。なお、パラペットＰＷの建物外周側部分において、横引き管ＨＰの外周にはシールＳＥが施される。
【００３６】
〔別実施形態〕
本発明は、上述の実施形態に限られるものではなく、発明の範囲を逸脱しない限り、例えば下記に示すように、各種形態を採用である。
【００３７】
（１）上述の実施形態では、横引き用のコーナードレンを例に挙げて説明したが、ルーフドレンは、図７及び図８に示すように、竪引き用のルーフドレン１であっても良い。竪引き用のルーフドレン１には、中央部に排水口２１が形成された皿状の本体部２が備えられ、防水シートＷＰが張り掛けられる表側部分２３ｆは、本体部２の上面の円環状の部分となる。本体部２の接続部２２には竪引き管ＶＰが接続される。シート押え部３やストレーナ４については、説明を省略する。その他、図７及び図８において、上述の実施形態と同じ符号を施している構成については、上述の実施形態の構成と、多少の形状は異なれども、本質的な構造や機能については、実質的に同じである。
【００３８】
養生カバー５は、本体部２の上面に沿う皿状であり、中央部に排水口２１に対応する開口５５が形成されている。養生カバー５の外周にミシン目５３が施されており、ミシン目５３よりも外周側の部分が固定部５１であり、ミシン目５３よりも内周側の部分が剥離部５２である。固定部５１は、外周側から内周側に巻き込まれた袋状に形成されている。
【００３９】
この実施形態において、裏側において部分的に固定部５１の幅を広くして構成した係止部５１ａを備え、養生カバー５がフランジ部２３から外れにくいようにしても良い。
【００４０】
（２）上述の実施形態では、本体部２に塩化ビニルのコーティングを施していたが、これに限られるものではない。例えば、防水材がアスファルトルーフィングである場合は、アスファルト質のコーティングにすれば良く、また、防水材と溶着しやすいものであれば、防水材と同材質である必要はない。また、防水材の端部は、表側部分２３ｆに接着剤によって接着することも可能であり、その際は、コーティング層２６を設けていなくても良い。
【００４１】
（３）上述の実施形態では、固定部５１と剥離部５２との境界にミシン目５３を設けて、ミシン目５３に沿って剥離部５２を分離する構成について説明したが、固定部５１と剥離部５２との連結はこの構成に限られるものではない。固定部５１と剥離部５２との連結箇所に隙間がなく、かつ、固定部５１と剥離部５２との連結を解除しやすい構成、即ち、剥離部５２を固定部５１から分離しやすい構成であれば、他の構成を採用できる。例えば、固定部５１と剥離部５２とを別体で構成し、固定部５１に剥離部５２をラップさせて、そのラップ部を、粘着剤で引き剥がし可能に連結しても良い。また、連結手段として、ホックを作用しても良い。
【００４２】
（４）係止部５１ａの構成は、上述の実施形態のものに限られるものではない。一枚のシート材を折り畳むことによって養生カバー５を製作できるように、シート材の端部同士を別方向から折り返して接着し、袋状の係止部５１ａを構成しても良い。
【００４３】
（５）上述の実施形態では、固定部５１は、フランジ部２３の外周縁部を差し込み可能な袋状に形成され、熱収縮することでフランジ部２３に強く引っ掛かる構成であり、接着材を使用せずに固定されるものであった。しかし、固定部５１を接着剤によってフランジ部２３に固定する構成であっても良い。この構成であれば、固定部５１を、フランジ部２３の裏側部分２３ｂのみに接着固定し、一切表側部分２３ｆに重複しないように構成して、防水シートＷＰの張り掛け面積が少しでも広がる。
【００４４】
（６）上述の実施形態では、養生カバー５は、熱収縮性を有する合成樹脂素材によって薄膜状に構成されていたが、これ以外の素材で構成してあっても良い。また、養生カバー５は、ルーフドレン１への樹脂コーティングや、ルーフドレン１を樹脂溶液へドブ付けすることで構成しても良い。この場合、剥離部５２を剥離可能にするために、ルーフドレン１のうち剥離部５２に対応する箇所に、剥離剤を塗布しておいたり、剥離紙のようなものを介在させておくとよい。そうすると、剥離部５２が構成されると同時に、剥離剤が塗布されていない箇所に、樹脂がそのままルールドレン１に接着、溶着されることで、固定部５１が構成される。その後で、固定部５１と剥離部５２との境界に切り取り線等を加工すれば良い。
【００４５】
（７）上述の実施形態では、養生カバー５に、排水口２１に対応する開口５５が形成されていたが、開口５５を形成せずに、養生カバー５が排水口２１を塞ぎ込む構成であっても良い。
【００４６】
（８）上述の実施形態では、養生カバー５は本体部２の表面にある程度密接するように構成したが、これに限られるものではない。養生カバー５は、フランジ部２３から外れず、かつ、養生カバー５と表側部分２３ｆとの間に異物が侵入しなければ、本体部２の表面との間に多少の隙間ができるものであっても良い。
【産業上の利用可能性】
【００４７】
本発明は、屋上を含む屋根や、バルコニーに設けられたルーフドレンだけでなく、中途階に設けられる中継用のルーフドレンや、これらの施工時に用いられる養生カバーにも適用可能である。
【符号の説明】
【００４８】
ＳＬ    屋上スラブ（コンクリート下地）
ＰＷ    パラペット（コンクリート下地）
ＷＰ    防水シート（防水材）
１      ルーフドレン
２      本体部
４      ストレーナ
５      養生カバー
２１    排水口
２３    フランジ部
２３ｆ  表側部分
５１    固定部
５２    剥離部
５５    開口
【図１】
2018168659.tif 000003
【図２】
2018168659.tif 000004
【図３】
2018168659.tif 000005
【図４】
2018168659.tif 000006
【図５】
2018168659.tif 000007
【図６】
2018168659.tif 000008
【図７】
2018168659.tif 000009
【図８】
2018168659.tif 000010